(57)【要約】【課題】低温下でもラベルを被貼付物に確実に貼付できるようにする。【解決手段】供給部５から供給された台紙付きラベル３のラベル１には印字部８において印字処理が施され、その後、ラベル１は剥離部９において台紙２から剥離される。このとき、温風吹付部１１から温風がラベル１の接着剤が塗布された貼付面に吹き付けられる。また、ラベル１が台紙２から剥離されたとき、ラベル１が吸着部１０に一時的に吸着され、保持される。吸着部１０は、ラベル１を吸着した状態で、被貼付物２００の上方まで移動した後、下方に移動してラベル１を被貼付物２００に押し付け、被貼付物２００に接着させる。貼付面に温風が吹き付けられ、接着剤が活性化されるため、粘着性が増大し、ラベル１が確実に被貼付物２００に貼付される。【選択図】図１
2008094444.tif 000002
【特許請求の範囲】
【請求項１】
貼付面に接着剤が塗布されたラベルを搬送する搬送手段と、
前記搬送手段によって搬送された前記ラベルを前記接着剤が塗布された前記貼付面の端部で保持する保持手段と、
前記保持手段によって保持された前記ラベルの前記貼付面に所定温度の温風を吹き付ける温風吹付手段と、
前記保持手段によって保持された前記ラベルを吸着する吸着部を有し、前記吸着部によって吸着された前記ラベルを被貼付物まで搬送して貼付する貼付手段と
を備え、
前記温風吹付手段は、前記ラベルが前記吸着部によって吸着されるまでの所定時間、前記ラベルの前記貼付面に対して前記温風を吹き付ける
ことを特徴とするラベル貼付装置。
【請求項２】
前記温風吹付手段の開口部の断面は、前記ラベルの幅方向の長さの方が搬送方向の長さよりも長い所定形状である
ことを特徴とする請求項１に記載のラベル貼付装置。
【発明の詳細な説明】
【技術分野】
【０００１】
本発明はラベル貼付装置に関し、特に、台紙付きラベルのラベルを被貼付物に貼付するラベル貼付装置に関する。
【背景技術】
【０００２】
従来、印字部で印字された台紙付きラベルのラベルが剥離バーで台紙から剥がされた後、吸着盤によって吸着されるまでの期間、下からエアーをラベルに吹き付け、ラベルが垂れ下がるのを防止し、吸着盤に確実に吸着されるようにしたものがある（例えば、特許文献１参照）。
また、ラベルの接着剤が塗布された貼付面に熱風を吹き付けて接着剤を溶融させるいわゆるヒートシールラベルの貼付装置の場合、ヒートシートラベルを吸着して被貼付物まで搬送する間に、ヒートシートラベルの貼付面に熱風を吹き付け、接着剤を溶融した後、被貼付物に貼付するようにしたものがある（例えば、特許文献２参照）。
【０００３】
【特許文献１】特開平６−２７８７３２号公報
【特許文献２】特開平６−１９９３２９号公報
【発明の開示】
【発明が解決しようとする課題】
【０００４】
しかしながら、特許文献１の発明では、熱風を吹き付けるようには構成されていないため、例えば、冷凍庫内等の周囲の環境が低温の場合、台紙付きラベルの貼付面の接着剤の粘着力が低温によって低下し、被貼付物にラベルが完全に貼付されない貼付不良が発生する場合があった。
また、特許文献２の発明では、ヒートシールラベルを吸着する位置から被貼付物が置かれた位置までの間に熱風を吹き付ける装置を設けており、装置が大型化するという問題があった。
【０００５】
本発明はこのような状況に鑑みてなされたものであり、台紙から剥離されたラベルを確実に吸着して貼付物に搬送することができるとともに、低温下でもラベルの粘着性が低下しないようにすることを目的とする。
【課題を解決するための手段】
【０００６】
請求項１に記載のラベル貼付装置は、貼付面に接着剤が塗布されたラベルを搬送する搬送手段と、前記搬送手段によって搬送された前記ラベルを前記接着剤が塗布された前記貼付面の端部で保持する保持手段と、前記保持手段によって保持された前記ラベルの前記貼付面に所定温度の温風を吹き付ける温風吹付手段と、前記保持手段によって保持された前記ラベルを吸着する吸着部を有し、前記吸着部によって吸着された前記ラベルを被貼付物まで搬送して貼付する貼付手段とを備え、前記温風吹付手段は、前記ラベルが前記吸着部によって吸着されるまでの所定時間、前記ラベルの前記貼付面に対して前記温風を吹き付けることを特徴とする。
また、前記温風吹付手段の開口部の断面は、前記ラベルの幅方向の長さの方が搬送方向の長さよりも長い所定形状とすることができる。
【発明の効果】
【０００７】
本発明のラベル貼付装置によれば、ラベル吸着時にラベルの貼付面に温風を吹き付けるようにしたので、ラベルを確実に吸着して貼付物に搬送するとともに、低温下でもラベルの粘着性が低下しないようにすることができる。これにより、周囲の環境によらずラベルを被貼付物に確実に貼付することができ、貼付不良の発生を抑制することができる。
【発明を実施するための最良の形態】
【０００８】
図１は、本発明の一実施の形態としてのラベル貼付装置１００の構成例を示している。同図に示すように、ラベル貼付装置１００は、ラベル１が一定間隔で剥離可能に仮着された帯状の台紙２（以下では、台紙付きラベル３と称する）がロール状に巻き回されたラベル連続体４が装着される供給部５と、供給部５に装着されたラベル連続体４から搬送される台紙付きラベル３を後述する印字部８に案内する案内ローラ１２，１３と、台紙付きラベル３を構成するラベル１に印字処理を施す印字部８と、台紙付きラベル３の搬送方向を鋭角に転向させてラベル１を台紙２から剥離する剥離部９と、剥離部９によって転向された台紙２を後述する巻取部１６に案内する案内ローラ１４，１５と、台紙２を巻き取る巻取部１６と、エアーを吸引することにより剥離部９において台紙２から剥離されたラベル１を一時的に吸着し、吸着したラベル１を被貼付物２００の上方まで搬送し、ラベル１を被貼付物２００に押し付けて貼付する吸着部１０と、剥離部９において剥離されたラベル１の接着剤が塗布された貼付面に対して所定温度の温風を吹き付ける温風吹付部１１等から構成されている。
【０００９】
印字部８は、受け台７と印字機６とから構成され、印字機６の内部には、図示しないが日付、文字等の活字と、ラベル１に転写するためのインクをしみこませたインクリボンとが内装され、矢印のように上下動作することによりラベル１に印字するようになっている。剥離部９は、図１に示したように剥離版で構成することもできるし、剥離バーで構成することもできる。
【００１０】
ラベル貼付装置１００の供給部５から繰り出された台紙付きラベル３は、案内ローラ１２，１３によって案内されて印字部８に搬送されるとともに、印字部８を構成する印字機６と受け台７との間に挿通される。その後、図示しない制御部から印字機６に供給される印字信号によって印字機６が図示しない駆動機構によって下方に移動し、受け台７上にあるラベル１を押圧することにより、日付、文字などをラベル１に印字する。
【００１１】
印字機６によって印字処理が施されたラベル１は、剥離部９へと移送され、台紙２が鋭角に転向されて、ラベル１が剥離される。このとき、図示しない制御部からの制御信号によって温風吹付部１１が駆動され、温風吹付部１１の開口部から所定温度に暖められたエアー、即ち、温風が、台紙２から剥離されたラベル１の接着剤が塗布された貼付面に吹き付けられる。貼付面に温風が吹き付けられると、ラベル１の垂れ下がりが抑制されるとともに、接着剤が活性化され、粘着性が増大する。
【００１２】
また、ラベル１が台紙２から剥離されたとき、制御部からの制御信号によって吸着部１０が駆動され、エアーの吸引が開始される。これにより、ラベル１が吸着部１０に一時的に吸着され、保持される。
【００１３】
吸着部１０は、制御部の制御下、図示しない駆動機構により、ラベル１を吸着した状態で、被貼付物２００の上方まで移動した後、下方に移動してラベル１を被貼付物２００に押し付ける。これにより、ラベル１の貼付面に塗布された接着剤の作用によってラベル１が被貼付物２００に接着される。このとき、上述したように、接着剤が温風によって加熱されたことにより、活性化されて粘着性が増大しているため、低温下であっても、ラベル１が被貼付物２００に確実に接着される。
【００１４】
一方、剥離部９においてラベル１が剥離された台紙２は、案内ローラ１４，１５によって巻取部１６に案内され、巻取部１６によって巻き取られる。勿論、巻取部１６は図示しない駆動機構によって回転し、台紙２を巻き取るようになっている。
【００１５】
図２（ａ）は、開口部の断面の形状が円形の温風吹付部１１の例を示している。開口部の直径は、ラベル１の幅方向の長さにしたり、或いは、ラベル１の幅方向の長さより短くしたりすることができる。
【００１６】
図２（ｂ）は、開口部の形状が長方形の温風吹付部１１の例を示している。開口部の長辺の長さをラベル１の幅方向の長さに合わせることにより、図２（ａ）の場合と同一の風量であっても、効率よくラベル１を吸着部１０の方へ吹き上げ、吸着部１０が確実にラベル１を吸着することができるようにすることができる。
【００１７】
図２（ｃ）は、開口部の形状が楕円形の温風吹付部１１の例を示している。開口部の長軸の長さをラベル１の幅方向の長さに合わせることにより、図２（ｂ）の場合と同様に、図２（ａ）の場合と同一の風量であっても、効率よくラベル１を吸着部１０の方へ吹き上げ、吸着部１０が確実にラベル１を吸着することができるようにすることができる。
【００１８】
以上説明したように、剥離部９によって剥離されたラベル１の貼付面に温風を吹き付けることにより、貼付面に塗布された接着剤を活性化して粘着性が増大するようにすることができるので、ラベル１を被貼付物２００に貼付する環境が、例えば、冷凍庫内等の低温下であっても、被貼付物２００にラベル１を確実に貼付することができ、貼付不良の発生を抑制することができる。
【００１９】
なお、上記実施の形態の構成及び動作は例であって、本発明の趣旨を逸脱しない範囲で適宜変更することができることは言うまでもない。
【産業上の利用可能性】
【００２０】
本発明は、接着剤が塗布された貼付面を有するラベル等を被貼付物に貼付する様々な機器に適用することができる。
【図面の簡単な説明】
【００２１】
【図１】本発明の一実施の形態としてのラベル貼付装置の構成例を示す図である。
【図２】温風吹付部の開口部の形状の例を示す図である。
【符号の説明】
【００２２】
１  ラベル
２  台紙
３  台紙付きラベル
４  ラベル連続体
５  供給部
６  印字機
７  受け台
８  印字部
９  剥離部
１０  吸着部
１１  温風吹付部
１２，１３，１４，１５  案内ローラ
１６  巻取部
【図１】
2008094444.tif 000003
【図２】
2008094444.tif 000004